(57)【要約】【課題】吸水性素材からなる清掃用部材を取り付けた取付体を折曲させて、当該清掃用部材を絞った際に、当該取付体から当該清掃用部材が外れことなく、簡便に絞ることが可能な清掃具を提供する。【解決手段】清掃用部材８と、清掃用部材８が取付面２ａに取り付けられる取付体２と、取付体２の他方側に設けられた操作柄９とを備え、取付体２は、基体部３と、基体部３を間に挟んで配設されるとともに、側部にヒンジ部材６を介して面外方向に回動自在に連結されたウイング部４、５とを有し、かつ両ウイング部４、５および基体部３に亘って清掃用部材８が取り付けられる取付面２ａが形成されるとともに、各々の取付面２ａに清掃用部材８を着脱自在に係止する係止部材７が設けられてなり、基体部３と両ウイング部４、５の各々の取付面２ａが面一に形成されるとともに、ヒンジ部材６の取付面２ａ側の周面６ａが取付面２ａと面一または取付面２ａよりも操作柄９側に配置されている。【選択図】図１
2014014538.tif 000002
【特許請求の範囲】
【請求項１】
吸水性素材からなる清掃用部材と、この清掃用部材が一方側の取付面に着脱自在に取り付けられる平板状の取付体と、この取付体の他方側に設けられた操作柄とを備えた清掃具において、
上記取付体は、中央に位置する基体部と、この基体部を間に挟んで配設されるとともに、当該基体部の側部にヒンジ部材を介して面外方向に回動自在に連結されたウイング部とを有し、かつ上記両ウイング部および上記基体部に亘って上記清掃用部材が取り付けられる上記取付面が形成されるとともに、各々の取付面に当該清掃用部材を着脱自在に係止する係止部材が設けられてなり、
上記基体部と上記両ウイング部の各々の上記取付面が面一に形成されるとともに、上記ヒンジ部材の上記取付面側の周面が当該取付面と面一または当該取付面よりも上記操作柄側に配置されていることを特徴とする清掃具。
【請求項２】
上記係止部材が、複数の小フック部材であることを特徴とする請求項１に記載の清掃具。
【請求項３】
上記清掃用部材は、スポンジたわしであることを特徴とする請求項１または２に記載の清掃具。
【発明の詳細な説明】
【技術分野】
【０００１】
本発明は、吸水性素材からなる清掃用部材が着脱自在に装着される清掃具に関するものである。
【背景技術】
【０００２】
一般に、水や洗剤などを含ませて、浴室や床面などを洗浄する清掃具として、例えば、スポンジたわしなどの吸水性素材からなる清掃用部材が用いられる。このスポンジたわしは、水や洗剤を含ませた当該スポンジたわしを片手で掴み、浴室の壁面や床面などの汚れた箇所を洗浄するものである。
【０００３】
しかし、上記スポンジたわしは、片手で掴んで利用するため、高い場所などを洗浄する際には、椅子や脚立などを利用しなければならない。また、床面などの低い場所の場合には、屈んで利用するため、膝や腰が弱い方や疾患がある方には、負担となってしまう。
【０００４】
そこで、これらの不具合を解消するために、上記スポンジたわしを長尺の操作棒が設けられたヘッド部に取り付けて、高い場所の洗浄や低い場所の洗浄を簡便に行える清掃具が提案されている。この清掃具を用いることにより、清掃する人の負担が軽減され様々な場所の洗浄が行えるとともに、上記洗剤が含まれたスポンジたわしを直接手で触れないため、手荒れなどの症状も抑えることができる。
【０００５】
ところで、上記清掃具を使用した後に、上記スポンジたわしに含まれている洗剤や汚れなどを水で洗い流して、天日などに吊して乾燥させる場合、この乾燥を短時間で済ませるために、当該スポンジたわしに残っている水分を絞りだすことが一般的に行われている。しかし、上記清掃具のように、上記スポンジたわしが上記ヘッド部に固着されていた場合には、当該スポンジたわしを容易に絞ることができないという問題がある。
【０００６】
そこで、上記スポンジたわしを上記ヘッド部に取り付けた状態のままでも、当該スポンジたわしを簡便に絞ることができるタイプの清掃具が提案されている。この清掃具は、例えば、図５に示すように、吸水性素材からなる清掃用部材（スポンジたわし）８０と、この清掃用部材８０を一方側の取付面２０ａに着脱自在に取り付ける平板状の取付体２０と、この取付体２０の他方側に設けられた操作柄９０とを備えて概略構成されている。
【０００７】
そして、この清掃具１０の取付体２０は、中央に位置する基体部３０と、この基体部３０を間に挟んで配設され、かつ当該基体部３０の両側部にヒンジ部材６０を介して面外方向に回動自在に連結されたウイング部４０、５０とを有している。また、両ウイング部４０、５０の各々の取付面２０ａおよび基体部３０の取付面２０ａには、各々の取付面２０ａに亘って清掃用部材８０を着脱自在に係止する複数の係止部材７０が設けられている。
【０００８】
この従来の清掃具１０は、清掃用部材８０を取付体２０の取付面２０ａに取り付けた状態のまま、両ウイング部４０、５０を互いに近接させる方向に回動させることができる。これにより、上記清掃用部材８０を折曲させて絞ることができ、当該清掃用部材に残留している水分などを絞りだすことができる。また、清掃用部材８０を折曲させて絞る際に、両ウイング部４０、５０の取付面２０ａとは反対側の表面を手で押圧するため、手を汚さずに当該清掃用部材８０を絞ることができる。
【０００９】
また、上記従来の清掃用具１０は、使用頻度によって清掃用部材８０が劣化したり破損したりすることを考慮して、取付面２０ａに設けられた係止部材７０によって、当該清掃用部材８０を着脱自在に取り付けられるようになっているとともに、図４（ｂ）に示すように、清掃用部材８０は、両ウイング部４０、５０と基体部３０とを連結しているヒンジ部材６０が、清掃用部材８０を取り付ける取付面２０ａから突出して配設されている。
【００１０】
これにより、基体部３０および両ウイング部４０、５０の各々の取付面２０ａと清掃用部材８０との間に隙間が形成されてしまい、清掃用部材８０を係止部材７０を介して取付面２０ａに取り付けても、当該取付面２０ａとの密着性がなく、しっかりと取り付けることができない。
【００１１】
この結果、両ウイング部４０、５０を互いに近接する方向に回動させて、清掃用部材８０を折曲させた場合、当該清掃用部材８０が基体部３０および両ウイング部４０、５０の各々の取付面２０ａに設けられた複数の係止部材７０から離脱して、取付体２０から外れてしまったり、ズレてして作業効率が悪いという問題がある。
【００１２】
また、清掃箇所を洗浄する際に、強い力で床面などを擦った際に、清掃用部材８０が基体部３０および両ウイング部４０、５０の各々の取付面２０ａに設けられた係止部材７０から離脱して、当該清掃用部材８０が取付体２０から外れたり、ズレたりして、効率良く洗浄することができないという問題もある。
【発明の概要】
【発明が解決しようとする課題】
【００１３】
本発明は、かかる事情に鑑みてなされたもので、吸水性素材からなる清掃用部材を取り付けた取付体を折曲させて、当該清掃用部材を絞った際に、当該取付体から当該清掃用部材が外れことなく、簡便に絞ることが可能な清掃具を提供することを課題とするものである。
【課題を解決するための手段】
【００１４】
上記課題を解決するために、請求項１に記載の発明は、吸水性素材からなる清掃用部材と、この清掃用部材が一方側の取付面に着脱自在に取り付けられる平板状の取付体と、この取付体の他方側に設けられた操作柄とを備えた清掃具において、上記取付体は、中央に位置する基体部と、この基体部を間に挟んで配設されるとともに、当該基体部の側部にヒンジ部材を介して面外方向に回動自在に連結されたウイング部とを有し、かつ上記両ウイング部および上記基体部に亘って上記清掃用部材が取り付けられる上記取付面が形成されるとともに、各々の取付面に当該清掃用部材を着脱自在に係止する係止部材が設けられてなり、上記基体部と上記両ウイング部の各々の上記取付面が面一に形成されるとともに、上記ヒンジ部材の上記取付面側の周面が当該取付面と面一または当該取付面よりも上記操作柄側に配置されていることを特徴とするものである。
【００１５】
また、請求項２に記載の発明は、請求項１に記載の発明において、上記係止部材が、複数の小フック部材であることを特徴とするものである。
【００１６】
そして、請求項３に記載の発明は、請求項１または２に記載の発明において、上記清掃用部材は、スポンジたわしであることを特徴とするものである。
【発明の効果】
【００１７】
請求項１〜３に記載の本発明によれば、吸水性素材からなる清掃用部材を基体部の取付面および両ウイング部の一方側の各々の取付面に取り付ける際に、当該基体部の取付面と両ウイング部の各々の取付面とが面一であるとともに、当該基体部と両ウイング部とを面外方向に回動自在に連結するヒンジ部材の上記取付面側の周面が、各々の上記取付面と面一または当該取付面よりも操作柄側に配置されているため、上記清掃用部材を係止部材を介して、上記基体部および両ウイング部の各々の上記取付面に係止する際、上記清掃用部材を各々の上記取付面に密着させて取り付けることができる。これにより、上記両ウイング部を互いに近接させる方向に回動させて、上記清掃用部材を折曲させて絞った場合、当該清掃用部材を各々の上記取付面から外れたり、ズレたりすることなく固定させることができる。
【００１８】
また、上記清掃用部材が上記取付体の基体部の上記取付面および両ウイング部の各々の上記取付面に密着して固定されるため、当該清掃用部材に洗剤などを含ませて、上記操作柄を握り清掃箇所を強く擦って洗浄しても、当該清掃用部材が各々の上記取付面から外れたり、ズレたりすることなく洗浄することができる。この結果、様々な清掃箇所を効率的に洗浄して清掃することができる。
【００１９】
請求項２に記載の本発明によれば、上記取付面に設けられた上記係止部材が、上記清掃用部材を着脱自在に係止する複数の小フック部材であるため、上記清掃用部材が、例えば、スポンジなどの発泡樹脂であれば、当該清掃用部材側に係止部材などを設ける必要がなく、当該清掃用部材を簡便に着脱させることができる。
【００２０】
請求項３に記載の本発明によれば、上記清掃用部材に、スポンジたわしが用いられるため、安価で製造することができるとともに、水や洗剤などを多く含ませることができ、清掃箇所を効率良く洗浄することができる。
【００２１】
また、上記スポンジたわしが有する柔軟性により、上記取付体の基体部に上記ヒンジ部材を介して連結された上記両ウイング部を容易に回動させることができるため、当該スポンジたわしに残留する水分を簡便に絞り出すことができるとともに、上記スポンジたわしが有する弾性によって、上記両ウイング部から手を離することにより、当該両ウイング部を容易に基の状態に戻すことができる。これにより、上記取付体の構造を簡素にでき、握力のない人でも容易に使用することができる。
【図面の簡単な説明】
【００２２】
【図１】本発明の清掃具の一実施形態を示し、（ａ）は平面図、（ｂ）は正面図、（ｃ）は底面図である。
【図２】本発明の清掃具にスポンジたわしを装着した状態を示す正面図である。
【図３】図２の状態から両ウイング部を回動させた状態を示す正面図である。
【図４】本発明の清掃具の取付体に設けられた小フック部材を示し、（ａ）は平面図、（ｂ）は正面図、（ｃ）は右側面図である。
【図５】従来の清掃具を示し、（ａ）は平面図、（ｂ）は正面図、（ｃ）は底面図である。
【発明を実施するための形態】
【００２３】
図１および図２に示すように、本発明の一実施形態の清掃具１は、スポンジたわし（清掃用部材）８と、このスポンジたわし８を一方側の取付面２ａに着脱自在に取り付ける平板状の取付体２と、この取付体２の他方側に設けられた操作柄９とを備えて概略構成されている。
【００２４】
ここで、取付体２は、中央に位置する基体部３と、この基体部３を間に挟んで配設されるウイング部４、５とを有している。また、スポンジたわし８を取り付ける基体部３の取付面２ａと、両ウイング部４、５の取付面２ａとが面一に形成されている。
【００２５】
そして、基体部３は、他方側の中央に、操作柄９が設けられている。また、ウイング部４、５は、基体部３の両側部にヒンジ部材６を介して、面外方向に回動自在に連結されている。さらに、ヒンジ部材６は、その取付面２ａ側の周面６ａが基体部３の取付面２ａおよび両ウイング部４、５の各々の取付面２ａと面一に配置されて形成されている。
【００２６】
さらに、両ウイング部４、５の各々の取付面２ａおよび基体部３の取付面２ａに、スポンジたわし８を着脱自在に係止する小フック部材（係止部材）７が複数設けられている。この小フック部材７は、図４（ｂ）の正面図に示すように、略Ｔ字状に形成されているとともに、両腕部７ａが鈎状をなし、かつその先端が鋭角に形成されている。そして、図４（ａ）および図４（ｃ）に示すように、両腕部７ａは平板状をなし、基部７ｂとの接続部が細く形成されて、スポンジたわし８が容易に着脱可能に形成されている。
【００２７】
以上の構成による清掃具１を用いて、床面などの清掃箇所を洗浄するには、まず、図２に示すように、スポンジたわし８を取付体２の取付面２ａに取り付ける。この際に、スポンジたわし８を基体部３の取付面２ａおよび両ウイング部４、５の各々の取付面２ａに複数設けられた小フック部材７を介し、当該取付面の全面に亘って取り付ける。
【００２８】
次いで、スポンジたわし８に洗剤を含ませる。そして、取付体２の他方側に設けられた操作柄９を握って、床面の清掃箇所を洗浄する。その際に、スポンジたわし８は、基体部３の取付面２ａおよび両ウイング部４、５の取付面２ａに、小フック部材７を介して密着して取り付けられているため、上記清掃箇所を強く擦って洗浄することも可能である。
【００２９】
次に、上記清掃箇所を洗浄し終えた清掃具１を水洗いして、スポンジたわし８に付着した汚れや、スポンジたわし８に残留している上記洗剤を水洗いする。そして、図３に示すように、スポンジたわし８に残った水分などを取付体２の基体部３に、ヒンジ部材６を介して連結された両ウイング部４、５を互いに近接させる方向に回動させ、スポンジたわし８を折曲させて当該スポンジたわしに残った水分を絞りだす。その際に、スポンジたわし８は、取付面２ａに複数設けられた小フック部材７を介して、当該取付面２ａに密着して取り付けられていることにより、両ウイング部４、５を回動させても、取付面２ａから外れたり、ズレたりしない。
【００３０】
そして、絞り終わったスポンジたわし８は、取付体２の両ウイング部４、５から手を離すことにより、当該スポンジたわし８が有する弾性によって、基の状態に両ウイング部４、５と共に戻る。
【００３１】
さらに、清掃具１を長期に亘り使用し、スポンジたわし８が経年変化により、摩耗や破損した場合には、当該スポンジたわしを取付体２の基体部３および両ウイング部４、５の各々の取付面２ａに設けられた複数の小フック部材７から離脱させて外し、新たに購入したスポンジたわし８を各々の取付面２ａに複数設けられた小フック部材７を介して取り付ける。
【００３２】
上述の実施形態による清掃具１によれば、スポンジたわし８を取付体２の基体部３の一方側の取付面２ａ、および両ウイング部４、５の一方側の各々の取付面２ａに係止する際に、基体部３と両ウイング部４、５の各々の取付面２ａが面一であるとともに、当該基体部３とウイング部とを面外方向に回動自在に連結するヒンジ部材６の取付面２ａ側の周面６ａが、基体部３と両ウイング部４、５の各々の取付面２ａと面一または当該取付面２ａよりも操作柄９側に配置されているため、スポンジたわし８を小フック部材７を介して、基体部３および両ウイング部４、５の各々の取付面２ａに係止する際、スポンジたわし８を各々の当該取付面２ａに密着させて取り付けることができる。これにより、両ウイング部４、５を互いに近接させる方向に回動させて、スポンジたわし８を折曲させて絞った場合、当該スポンジたわし８を各々の取付面２ａから外れたり、ズレたりすることなく固定させることができる。
【００３３】
また、スポンジたわし８が取付体２の基体部３の取付面２ａおよび両ウイング部４、５の各々の取付面２ａに密着して固定されるため、スポンジたわし８に洗剤などを含ませて、操作柄９を握り清掃箇所を強く擦って洗浄しても、スポンジたわし８が各々の取付面２ａから外れたり、ズレたりすることなく洗浄することができる。この結果、様々な清掃箇所を効率的に洗浄して清掃することができる。
【００３４】
そして、取付体２の基体部３の取付面２ａおよび両ウイング部４、５の各々の取付面２ａに設けられた小フック部材７により、スポンジたわし８を用いることにより、当該スポンジたわし８側に別途係止部材などを設ける必要がなく、当該スポンジたわし８を簡便に着脱させることができる。
【００３５】
さらに、スポンジたわし８を用いる事により、安価で製造することができるとともに、水や洗剤などを多く含ませることができ、清掃箇所を効率良く洗浄することができる。
【００３６】
また、スポンジたわし８が有する柔軟性により、取付体２の基体部３に回動自在に連結された両ウイング部４、５を互いに近接させる方向に容易に回動させることができるため、当該スポンジたわし８に残留する水分を簡便に絞り出すことができるとともに、スポンジたわし８が有する弾性によって、両ウイング部４、５から手を離することにより、当該両ウイング部４、５を容易に基の状態に戻すことができる。これにより、上記取付体の構造を簡素にでき、握力のない人でも容易に使用することができる。
【００３７】
なお、上記実施の形態において、基体部３と両ウイング部４、５を回動自在に連結するヒンジ部材６の取付面２ａ側の周面６ａを、基体部３の取付面２ａおよび両ウイング部４、５の各々の取付面２ａと面一に配置した場合のみ説明したが、これに限定されるものでなく、例えば、ヒンジ部材６の取付面２ａ側の周面６ａを基体部３の取付面２ａおよび両ウイング部４、５の各々の取付面２ａよりも、取付体２の他方側の方面に設けられた操作柄９側に配置された場合でも対応可能である。
【産業上の利用可能性】
【００３８】
吸水性素材からなる清掃用部材を装着する清掃具に利用することができる。
【符号の説明】
【００３９】
１  清掃具
２  取付体
２ａ  取付面
３  基体部
４、５  ウイング部
６  ヒンジ部材
６ａ  周面
７  小フック部材（係止部材）
８  スポンジたわし（清掃用部材）
９  操作柄
【図１】
2014014538.tif 000003
【図２】
2014014538.tif 000004
【図３】
2014014538.tif 000005
【図４】
2014014538.tif 000006
【図５】
2014014538.tif 000007